【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
ユーザから投稿された投稿データであって、位置情報または日時情報の少なくともいずれか一方を含む投稿データを複数管理する管理手段と、
アップロードされる画像データから、当該画像データが撮影された位置を示す位置情報、または撮影された日時を示す日時情報の少なくともいずれか一方を取得する取得手段と、
前記取得手段で取得した前記画像データの前記位置情報または前記日時情報と、前記管理手段で管理する前記位置情報または前記日時情報とを用いて、前記投稿データを複数管理する管理手段で管理する前記投稿データの中から前記画像データと対応付ける投稿データを特定する特定手段と
を備えることを特徴とする情報処理システム。
【請求項２】
前記特定手段は、前記管理手段で管理する前記投稿データのうち、当該投稿データの日時情報と、前記取得手段で取得した前記画像データの前記日時情報との差が所定の範囲内である投稿データを、前記画像データと対応付ける投稿データとして特定することを特徴とする請求項１に記載の情報処理システム。
【請求項３】
前記特定手段は、前記管理手段で管理する前記投稿データのうち、当該投稿データの位置情報と、前記取得手段で取得した前記画像データの前記位置情報との差が所定の範囲内である投稿データを、前記画像データと対応付ける投稿データとして特定することを特徴とする請求項１に記載の情報処理システム。
【請求項４】
前記投稿データに含まれる文字列から、当該投稿データに対応する位置情報を特定する位置情報特定手段と
を更に備え、
前記特定手段は、前記位置情報特定手段により特定された前記位置情報と、前記取得手段で取得した位置情報とを用いて、前記画像データと対応付ける投稿データを特定することを特徴とする請求項２または３に記載の情報処理システム。
【請求項５】
前記特定手段は、前記画像データと対応付ける投稿データを特定できない場合に、前記位置情報特定手段で特定された前記位置情報と、前記取得手段で取得した位置情報とを用いて、前記画像データと対応付ける投稿データを特定することを特徴とする請求項４に記載の情報処理システム。
【請求項６】
前記特定手段により特定された前記投稿データと、前記画像データとを含む画面を表示するように制御する表示制御手段を備えることを特徴とする請求項１乃至５のいずれか１項に記載の情報処理システム。
【請求項７】
前記管理手段は、前記投稿データと一緒に投稿された画像データを更に管理し、
前記表示制御手段は、前記特定手段により特定された前記投稿データと、前記画像データとを含み、更に当該投稿データと一緒に投稿された前記画像データを含む画面を表示するように制御することを特徴とする請求項６に記載の情報処理システム。
【請求項８】
前記管理手段は、前記投稿データを投稿したユーザが前記画像データのアップロードを行ったユーザとは別のユーザであるか否かを特定可能なユーザ情報をさらに管理し、
前記管理手段で管理する前記ユーザ情報を用いて、前記投稿データを投稿したユーザが、前記画像データのアップロードを行ったユーザとは別のユーザであるかを特定するユーザ特定手段を備え、
前記表示制御手段は、前記ユーザ特定手段により別のユーザであると特定された場合に、当該別のユーザの前記投稿データへのリンクが付された前記画面を表示するように制御することを特徴とする請求項６または７に記載の情報処理システム。
【請求項９】
ユーザから投稿された投稿データであって、位置情報または日時情報の少なくともいずれか一方を含む投稿データを複数管理する管理手段を備える情報処理システムの制御方法であって、
アップロードされる画像データから、当該画像データが撮影された位置を示す位置情報、または撮影された日時を示す日時情報の少なくともいずれか一方を取得する取得工程と、
前記取得工程で取得した前記画像データの前記位置情報または前記日時情報と、前記管理手段で管理する前記位置情報または前記日時情報とを用いて、前記投稿データを複数管理する管理手段で管理する前記投稿データの中から前記画像データと対応付ける投稿データを特定する特定工程と
を備えることを特徴とする情報処理システムの制御方法。
【請求項１０】
ユーザから投稿された投稿データであって、位置情報または日時情報の少なくともいずれか一方を含む投稿データを複数管理する管理手段を備える情報処理システムで読み取り実行可能なプログラムであって、
前記情報処理システムを、
アップロードされる画像データから、当該画像データが撮影された位置を示す位置情報、または撮影された日時を示す日時情報の少なくともいずれか一方を取得する取得手段と、
前記取得手段で取得した前記画像データの前記位置情報または前記日時情報と、前記管理手段で管理する前記位置情報または前記日時情報とを用いて、前記投稿データを複数管理する管理手段で管理する前記投稿データの中から前記画像データと対応付ける投稿データを特定する特定手段と
して機能させることを特徴とするプログラム。
【手続補正２】
【補正対象書類名】明細書
【補正対象項目名】発明の名称
【補正方法】変更
【補正の内容】
【発明の名称】情報処理システム、情報処理システムの制御方法及びプログラム
【手続補正３】
【補正対象書類名】明細書
【補正対象項目名】０００１
【補正方法】変更
【補正の内容】
【０００１】
本発明は、情報処理システム、情報処理システムの制御方法及びプログラムに関する。
【手続補正４】
【補正対象書類名】明細書
【補正対象項目名】００１０
【補正方法】変更
【補正の内容】
【００１０】
本発明は、アップロードされた画像データに対応する投稿データを特定する仕組みを提供することを目的とする。
【手続補正５】
【補正対象書類名】明細書
【補正対象項目名】００１１
【補正方法】変更
【補正の内容】
【００１１】
本発明は、ユーザから投稿された投稿データであって、位置情報または日時情報の少なくともいずれか一方を含む投稿データを複数管理する管理手段と、アップロードされる画像データから、当該画像データが撮影された位置を示す位置情報、または撮影された日時を示す日時情報の少なくともいずれか一方を取得する取得手段と、前記取得手段で取得した前記画像データの前記位置情報または前記日時情報と、前記管理手段で管理する前記位置情報または前記日時情報とを用いて、前記投稿データを複数管理する管理手段で管理する前記投稿データの中から前記画像データと対応付ける投稿データを特定する特定手段とを備えることを特徴とする。また、本発明は、ユーザから投稿された投稿データであって、位置情報または日時情報の少なくともいずれか一方を含む投稿データを複数管理する管理手段を備える情報処理システムの制御方法であって、アップロードされる画像データから、当該画像データが撮影された位置を示す位置情報、または撮影された日時を示す日時情報の少なくともいずれか一方を取得する取得工程と、前記取得工程で取得した前記画像データの前記位置情報または前記日時情報と、前記管理手段で管理する前記位置情報または前記日時情報とを用いて、前記投稿データを複数管理する管理手段で管理する前記投稿データの中から前記画像データと対応付ける投稿データを特定する特定工程とを備えることを特徴とする。また、本発明は、ユーザから投稿された投稿データであって、位置情報または日時情報の少なくともいずれか一方を含む投稿データを複数管理する管理手段を備える情報処理システムで読み取り実行可能なプログラムであって、前記情報処理システムを、アップロードされる画像データから、当該画像データが撮影された位置を示す位置情報、または撮影された日時を示す日時情報の少なくともいずれか一方を取得する取得手段と、前記取得手段で取得した前記画像データの前記位置情報または前記日時情報と、前記管理手段で管理する前記位置情報または前記日時情報とを用いて、前記投稿データを複数管理する管理手段で管理する前記投稿データの中から前記画像データと対応付ける投稿データを特定する特定手段として機能させることを特徴とする。
【手続補正６】
【補正対象書類名】明細書
【補正対象項目名】００１２
【補正方法】変更
【補正の内容】
【００１２】
本発明によれば、アップロードされた画像データに対応する投稿データを特定することができる。